(57)【要約】【課題】電子コンポーネントに加える弾力を提供しケースと別体に成形される少なくとも一つの独立片状バネを設けることにより、作製時の材質の制限を解消できる独立片状バネ付きコネクタを提供する。【解決手段】電子コンポーネントを挿入して接続可能であり、接続本体と、少なくとも一つの独立片状バネと、ケースと、を含む独立片状バネ付きコネクタにおいて、前記接続本体は、接続部を有し、前記電子コンポーネントが第１方向に沿って前記接続部に挿入可能であり、前記独立片状バネは、前記接続本体に設けられ、前記接続部と同じ側に位置し、前記ケースは、前記接続本体を囲むように設けられ、前記接続部に対応する側に開口が設けられ、前記電子コンポーネントが前記開口を経由して前記接続部に挿入可能である。【選択図】図３
0003167959.tif 000002
【実用新案登録請求の範囲】
【請求項１】
電子コンポーネントを挿入して接続可能であり、接続本体と、少なくとも一つの独立片状バネと、ケースと、を含む独立片状バネ付きコネクタにおいて、
前記接続本体は、接続部を有し、前記電子コンポーネントが第１方向に沿って前記接続部に挿入可能であり、
前記独立片状バネは、前記接続本体に設けられ、前記接続部と同じ側に位置し、
前記ケースは、前記接続本体を囲むように設けられ、前記接続部に対応する側に開口が設けられ、前記電子コンポーネントが前記開口を経由して前記接続部に挿入可能であり、  前記電子コンポーネントが前記開口を経由して前記接続部に挿入するときに、前記独立片状バネは、前記電子コンポーネントに押えられて前記第１方向に圧縮されて、前記第１方向の逆方向への弾力が発生することを特徴とする独立片状バネ付きコネクタ。
【請求項２】
前記接続本体は、更に、電子コンポーネント係合部を有し、前記電子コンポーネント係合部により、前記接続部に前記電子コンポーネントを挿入するときに、前記電子コンポーネントが係合されることを特徴とする、請求項１に記載の独立片状バネ付きコネクタ。
【請求項３】
前記電子コンポーネントはケーブルであることを特徴とする、請求項１に記載の独立片状バネ付きコネクタ。
【考案の詳細な説明】
【技術分野】
【０００１】
本考案は、コネクタに関し、特に、独立片状バネ付きコネクタに関するものである。
【背景技術】
【０００２】
コネクタから電子コンポーネントを容易に離脱するために、ケースに弾力を有する片状バネを設けることが一般であり、そうすると、コネクタから電子コンポーネントを抜き出したいときには、片状バネによる弾力により電子コンポーネントのコネクタからの抜出が容易となる。
【０００３】
図１及び図２を参照する。図１は従来のコネクタのケースと電子コンポーネントの分解斜視図であり、図２は片状バネを有するケースを示す模式図である。従来のコネクタのケース１１は、上ケース１１１と、下ケース１１２と、を含む。上ケース１１１と下ケース１１２とを結合すると、接続通路が形成され、前記接続通路により電子コンポーネント１２がガイドされてコネクタと接続できる。また、上ケース１１１の内部には、上ケース１１１と一体成形された片状バネ１１１１が設けられ、これにより、電子コンポーネント１２が前記接続通路を経由してコネクタと接続するときに、片状バネ１１１１が押えられて弾力を発生し、なお、コネクタから電子コンポーネント１２を抜出すときには、片状バネ１１１１による弾力により、電子コンポーネント１２のコネクタからの抜出が容易となる。
【０００４】
しかしながら、片状バネ１１１１が上ケース１１１と一体成形されるため、片状バネ１１１１の材質が上ケース１１１と同じ、そうすると、コネクタのケース１１の設計が制限され、片状バネ１１１１は必要な弾力に応じて設計できず、ケース１１の構造強度などの条件を同時に考慮することが必要である問題があった。
【考案の概要】
【考案が解決しようとする課題】
【０００５】
本考案の主な目的は、電子コンポーネントに加える弾力を提供しケースと別体に成形される少なくとも一つの独立片状バネを設けることにより、作製時の材質の制限を解消できる独立片状バネ付きコネクタを提供することにある。
【課題を解決するための手段】
【０００６】
本考案の独立片状バネ付きコネクタによると、電子コンポーネントを挿入して接続可能であり、接続本体と、少なくとも一つの独立片状バネと、ケースと、を含む独立片状バネ付きコネクタにおいて、
前記接続本体は、接続部を有し、前記電子コンポーネントが第１方向に沿って前記接続部に挿入可能であり、
前記独立片状バネは、前記接続本体に設けられ、前記接続部と同じ側に位置し、
前記ケースは、前記接続本体を囲むように設けられ、前記接続部に対応する側に開口が設けられ、前記電子コンポーネントが前記開口を経由して前記接続部に挿入可能であり、  前記電子コンポーネントが前記開口を経由して前記接続部に挿入するときに、前記独立片状バネは、前記電子コンポーネントに押えられて前記第１方向に圧縮されて、前記第１方向の逆方向への弾力が発生することを特徴とする。
【０００７】
本考案の独立片状バネ付きコネクタによると、前記接続本体は、更に、電子コンポーネント係合部を有し、前記電子コンポーネント係合部により、前記接続部に前記電子コンポーネントを挿入するときに前記電子コンポーネントが係合されることを特徴とする。
【０００８】
本考案の独立片状バネ付きコネクタによると、前記電子コンポーネントはケーブルであることを特徴とする。
【考案の効果】
【０００９】
本考案の独立片状バネ付きコネクタによれば、電子コンポーネントに加える弾力を提供しケースと別体に成形される少なくとも一つの独立片状バネを設けることにより、作製時の材質の制限を解消できるという効果を有する。
【図面の簡単な説明】
【００１０】
【図１】従来のコネクタのケースと電子コンポーネントの分解斜視図である。
【図２】片状バネを有するケースを示す模式図である。
【図３】本考案のコネクタの一部を示す分解斜視図である。
【図４】本考案の独立片状バネと接続本体とを結合したコネクタの一部を示す分解斜視図である。
【図５】本考案のコネクタに電子コンポーネントが結合された状態の模式図である。
【考案を実施するための形態】
【００１１】
以下、本考案の実施の形態を図面に基づいて説明する。
まず、図３乃至図５を参照する。図３は本考案のコネクタの一部を示す分解斜視図であり、図４は本考案の独立片状バネと接続本体とを結合したコネクタの一部を示す分解斜視図であり、図５は本考案のコネクタに電子コンポーネントが結合された状態の模式図である。本考案の一実施例のコネクタは、電子コンポーネント３００を挿入して接続可能であり、接続本体２１と、独立片状バネ２２と、ケース２３と、を含む。また、本考案の電子コンポーネント３００は、実施の態様が極めて多く、例えばメモリカードでもいいし、ケーブルでもよい。
【００１２】
接続本体２１は、接続部２１１を有し、電子コンポーネント３００が第１方向Ｓ１に沿って接続部２１１に挿入可能である。本考案の一実施例では、接続本体２１は、更に、電子コンポーネント係合部２１２を有し、電子コンポーネント係合部２１２により、接続部２１１に電子コンポーネント３００を挿入するときに電子コンポーネント３００が係合される。
【００１３】
独立片状バネ２２は、接続本体２１に設けられ、接続部２１１と同じ側に位置する。ケース２３は、接続本体２１を囲むように設けられ、接続部２１１に対応する側に開口が設けられ、電子コンポーネント３００が前記開口を経由して接続部２１１に挿入可能である。
【００１４】
電子コンポーネント３００が第１方向Ｓ１に沿って前記開口を経由して接続部２１１に挿入するときに、独立片状バネ２２は、電子コンポーネント３００に押えられて第１方向Ｓ１に圧縮されて、第１方向Ｓ１の逆方向への弾力が発生する。そうすると、コネクタから電子コンポーネント３００を抜出すときには、独立片状バネ２２による弾力により、電子コンポーネント３００のコネクタからの抜出が容易となる。
【００１５】
上記の説明から明らかなように、本考案のコネクタの独立片状バネ２２は、接続本体２１とケース２３とから分離可能であるため、その材質が接続本体２１及びケース２３と異なることができ、そうすると、コネクタを設計するときには、必要な弾力によって独立片状バネ２２の材質を採用することができ、換言すると、コネクタの設計の自由度が増加する。
【００１６】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１７】
本考案は、コネクタに適用することができる。
【符号の説明】
【００１８】
１            ケース
１２            電子コンポーネント
２１            接続本体
２２            独立片状バネ
２３            ケース
１１１            上ケース
１１２            下ケース
２１１            接続部
２１２            電子コンポーネント係合部
３００            電子コンポーネント
１１１１          片状バネ
Ｓ１            第１方向
【図１】
0003167959.tif 000003
【図２】
0003167959.tif 000004
【図３】
0003167959.tif 000005
【図４】
0003167959.tif 000006
【図５】
0003167959.tif 000007